【事件の表示】
　特許第２７７０１００号「ＥＬ表示素子のパターニング方法」の請求項１ないし２に係る特許に対する特許異議の申立てについて、次のとおり決定する。
【結論】
　訂正を認める。
　特許第２７７０１００号の請求項１に係る特許を維持する。
【理由】
〔ｌ〕手続の経緯
　本件特許第２７７０１００号（以下「本件特許」という。）は、平成４年４月３日の出願であって、平成１０年４月１７日に特許権の設定登録がなされ、その後、セイコープレシジョン株式会社により、請求項１及び請求項２に係る特許に対して、特許異議の申立てがされた。そして、当審において取消理由が通知され、その指定期間内である平成１１年６月１７日に訂正請求がされた。
〔２〕訂正の適否についての判断
（１）訂正事項
　本件訂正請求は、以下のとおりのものである。
▲１▼願書に添付した明細書（以下「特許明細書」という。）の請求項１を削除し、請求項２を請求項１と訂正する。
（２）訂正の適否の判断
　請求項１の削除する訂正は、特許法第１２０条の４第２項第１号にいう特許請求の範囲の減縮を目的とするものに該当し、願書に添付した明細書に記載した事項の範囲内のものであり、しかも、実質上特許請求の範囲を拡張し、又は変更するものでもない。
　さらに、本件訂正後における請求項１により特定される発明が特許出願の際独立して特許を受けることができないものであるとすることもできない（後述のとおり、特許異議の申立ては理由がなく、その他本件訂正後の請求項１により特定された発明が特許を受けることができない発明であるとする理由を発見しない。）ので、本件訂正は、同法第１２０条の４第３項で準用する同法第１２６条第２項乃至第４項の規定にも適合するものであると認められる。
　したがって、本件訂正は、これを認めることとする。
〔３〕特許異議の申立てについての判断
（１）本件発明は、訂正された明細書及び図面の記載からみて、その特許請求の範囲の請求項１に記載された以下のものにあるものと認める。
　「請求項１
　発光面のパターンニングにより所定形状を表示させるＥＬ表示素子のパターニング方法において、
　前記パターニングは前記ＥＬ表示素子の背面電極側から少なくとも絶縁層に達する切込溝を前記所定形状の外形に沿い閉曲線状に設け、前記切込溝により電気的に分離された前記所定形状部分の背面電極層にポジ表示用端子を設けるとともに、前記所定形状部分以外の背面電極層にはネガ表示用端子が設けられていることを特徴とするＥＬ表示素子のパターニング方法」
（２）これに対して、特許異議の申立ての理由は、「本件請求項１、２に係る各特許発明は、甲第１号証、甲第２号証に記載された発明と同一、少なくともこの発明に基づいて、その発明の属する技術の分野における通常の知識を有する者が容易に発明をすることができたものであるから、特許法第２９条の第１項第３号および第２項の規定により特許を受けることができないものであり、特許法第１１３条第１項第２号の規定により取り消すベきものである。」というにある。
証拠方法：
甲第１号証：特開平１−１３０４９４号公報
甲第２号証：特公昭４８−２６９８４号公報
（３）そこで甲号各証について検討する。
　まず、甲第１号証には、エレクトロルミネッセンス素子の製造方法に関し、以下の事項が記載されている。
▲１▼「電極間に発光層を介在させたエレクトロルミネッセンス素子の製造方法であって、基材上に第１の電極を形成する第１の電極形成工程と、該第１の電極上に発光層を形成する発光層形成工程と、該発光層上に第２の電極を形成する第２の電極形成工程とより成り、電極形成工程の少なくとも１つの工程は電極形成面の全面に電極材料を形成する電極層形成工程と、該電極層の所定位置をレーザによりトリミングして除去し電極パターンを形成する電極パターン形成工程とより成ることを特徴とするエレクトロルミネッセンス素子の製造方法。」（請求項１）
▲２▼「第３図において、ｌは第１図と同様のガラス基板、６は第１図のＩＴＯ透明電極２と同様の下部電極、７は第１図の発光層３と同様の発光層、９は第１絶縁層、１０は第２絶縁層である。そしてこの第２絶縁層１０の上に更に第１図４と同様の背面電極層８を所定領域全面に蒸着し、この背面電極層８の表示すべき図形の縁の部分をレーザトリミングで蒸発させ、第３図の如き固定した図形を表示することができるＥＬ素子を形成する。
　この様に本実施例によれば、ＥＬ素子電極として任意の図形パターンを容易に形成でき、顧客の要望に木目細かく対応でき、しかも、容易に任意の表示パターンを形成できる。このレーザトリミングは図形に限るものではなく、任意の文字をトリミングし、宣伝等に用いることができることは勿論である。」（第３頁左下欄第１２〜同右下欄第１１行）
▲３▼「以上説明した様に本発明によれば、任意の電極パターンを容易かつ正確に形成することができ、しかも形成される電極パターンに制約されず、あらゆる要望にこたえることができる。」（第４頁左欄第８〜１１行）
　次に、甲第２号証には、エレクトロルミネセンス装置の製法に関し、第４図、第５図とともに以下の事項が記載されている。
▲１▼「第４図においては基層２４に導電性材料から成る層２５を当てがってある。この導電性材料は文字Ａを形成するような形状のすきま２６ａ、２６ｂを残すように部分的に除去してある。螢光体含有母材層（図示してない）は各すきま２６ａ、２６ｂを横切って当てがえばよい。導電性層２５は３個所の区域２７、２８、２９として考えられる。各区域２８は反対の極性を持つように電気結線（図示しない）を配置し直流電流を通ずると螢光体層に各すきま２６ａ、２６ｂの線に沿って高抵抗の区域が形成されるから、各区域２７、２９が同じ正の極性を持ち区域２８が負の極性を持つように直流或いはこれ等の両方の電圧を印加するときは螢光体層内の高抵抗の区域にエレクトロルミネセンス現象が生じ文字Ａの輪郭を示す。
　本発明は第５図に示すようなエレクトロルミネセンス装置すなわちサンドイッチ形装置に応用できる。本装置はなるべくはガラスからなる支持体３０と導電層３１と螢光層３３と第２の電導層３２とから成っている。各導電層３１、３２は電極として作用する。導電層３１はたとえは酸化すずまたは酸化インジウムから成る被膜でよい。また導電層３２はたとえはアルミニウム、黒鉛または銅でよい。螢光体層３３に導電層３１を図示のように正側にして各導電層３１、３２を経て螢光体層３３内に高抵抗区域が形成するように直流電流を通ずると導電層３１に近接して高抵抗区域３４が形成される。この形成した高抵抗区域３４から光線３５を放出する。この場合高抵抗区域３４の形成に伴って局部的自動加熱作用が生ずる。このような装置は螢光体層３３の１個所または複数個の区域を発光するように変えられる。各導電層３１、３２は螢光体層３３の全区域にわたって連続させないで空間３２Ｂにより相互に隔離した条片状に配置してある。一方の側の条片群は他方の側の条片群に対し直角を挟んで配置してある。これ等の各条片には電気結線３１Ａ、３２Ａを接続してある。各配列の適当な結線を選ぶことにより螢光体層３３の選定した部分に発光させることができる。」（第３頁右欄第１〜４１行）
（４）そこで、本件発明と上記甲号各証に記載されたものとを比較すると、前者の「切込溝により電気的に分離された前記所定形状部分の背面電極層にポジ表示用端子を設けるとともに、前記所定形状部分以外の背面電極層にはネガ表示用端子」を設ける構成は、後者のいずれにも記載されていない。
　そして、本件発明の「切込溝により電気的に分離された前記所定形状部分の背面電極層にポジ表示用端子を設けるとともに、前記所定形状部分以外の背面電極層にはネガ表示用端子」なる構成を具備しない甲号各証を組み合わせても、本件発明に到達するものとは認められない。
　一方、本件発明は上記構成を採用することにより、「ポジ表示用端子とネガ表示用端子とによりポジ表示、ネガ表示など表示にバリエーションを与えて訴求効果の向上にも優れ（る）」という格別の効果を奏するものである。
　したがって、本件発明が、甲第１号証乃至甲第２号証に記載された発明であるとも、また、甲第１号証乃至甲第２号証に記載された発明に基づいて当業者が容易に発明をすることができたものとすることもできない。
〔４〕まとめ
　したがって、特許異議申立人の主張する申立ての理由及び提出した証拠方法によっては、本件請求項１に係る発明の特許を取り消すことはできない。
　よって、結論のとおり決定する。
【異議決定日】
平成１１年８月２日（１９９９．８．２）
【訂正の要旨】
訂正の要旨
　請求項１を削除し、請求項２を請求項１と訂正する。
（５４）【発明の名称】
ＥＬ表示素子のパターニング方法
（５７）【特許請求の範囲】
　【請求項１】　発光面のパターニングにより所定形状を表示させるＥＬ表示素子のパターニング方法において、
　前記パターニングは前記ＥＬ表示素子の背面電極層側から少なくとも絶縁層に達する切込溝を前記所定形状の外形に沿い閉曲線状に設け、前記切込溝により電気的に分離された前記所定形状部分の背面電極層にポジ表示用端子を
設けるとともに、前記所定形状部分以外の背面電極層にはネガ表示用端子が設けられている
【発明の詳細な説明】
　【０００１】
　【産業上の利用分野】本発明はＥＬ（エレクトロルミネセンス）表示素子に関するものであり、詳細には前記ＥＬ表示素子の発光面にパターニングを施して所定の文字、図形などを表示可能とするときのパターニング方法に係るものである。
　【０００２】
　【従来の技術】従来のこの種のＥＬ表示素子９０におけるパターニング方法の例を示すものが図５及び図６であり、先ず、図５に示すものは、予めに例えば板状に形成したＥＬ表示素子９０を打抜型などを使用して所定形状に切り抜いて表示用素子９１を得るものであ、この表示用素子９１の透明電極及び背面電極に配線を行い発光させて所定形状の表示を行うものである。
　【０００３】また、図６に示すものは、予めに板状に形成したＥＬ表示素子９０の観視側の表面に、例えば所定形状部分を透明とし、それ以外の部分を不透明としたマスキングフィルム９２を貼着することでパターニングを行うものであり、前記ＥＬ表示素子９０を発光させるときには所定形状部分のみが発光しているように観視され、これにより目的とする表示が行えるものとなる。
　【０００４】
　【発明が解決しようとする課題】しかしながら、前記した従来のパターニング方法においては、先ず、図５に示したものでは、切り抜きが行われた後に防湿のためのラミネート処理などを行わなければならないものとなり、生産工程が煩雑化する問題点を生じ、特に表示に文字列が要求されたときには、その一文字毎に切り抜きとラミネート処理とを行うものとなって一層に手間がかかり、結果的に非常に生産コストが高いものとなる問題点を生じていた。
　【０００５】また、図６に示したものでは、点灯時には表示を目的とする所定形状部分以外の部分も発光するものとなるので、表示面積に対しての消費電力が多くなり、電力効率が低下する問題点を生ずると共に、点灯時には全面が同時に発光するものとなり、例えば文字毎の独立点灯など表示にバリエーションが与えられず、表示に訴求効果が乏しいと云う問題点も生ずるものとなり、また、上記何れの場合でも表示内容は打抜型或いは版型で限定されるので表示内容の変更を行う際には上記型類の変更或いは新作を行う必要があり機動性も劣る問題点を生ずるものとなり、これらの点の解決が課題とされるものとなっていた。
　【０００６】
　【課題を解決するための手段】本発明は前記した従来の課題を解決するための具体的手段として、発光面のパターニングにより所定形状を表示させるＥＬ表示素子のパターニング方法において、前記パターニングは前記ＥＬ表示素子の背面電極層側から少なくとも絶縁層に達する切込溝を前記所定形状の外形に沿い閉曲線状に設け、前記切込溝により電気的に分離された前記所定形状部分の背面電極層にポジ表示用端子を設けたことを特徴とするＥＬ表示素子のパターニング方法を提供することで、前記した従来の課題を何れも解決するものである。
　【０００７】
　【実施例】つぎに、本発明を図に示す一実施例に基づいて詳細に説明する。図１及び図２に符号１で示すものはＥＬ表示素子であり、このＥＬ表示素子１は図２に断面図で示すように表示面側から透明電極層１１、発光層１２、絶縁層１３、背面電極層１４が積層されて形成されるものであり、前記透明電極層１１と背面電極層１４との間に高周波電圧を印加することで、発光層１２が発光し透明電極層１１を透過してその発光が観視されるものである。
　【０００８】本発明においては前記ＥＬ表示素子１の背面電極層１４の側からＹＡＧ（イットリウム―アルミニウム―ガーネット結晶）レーザ２０により表示を目的とする所定形状１ａ、１ｂの外形に沿う切込溝２を閉曲線状に形成するものであり、このときに前記切込溝２の深さは図２に示すように少なくとも前記絶縁層１３に達するものとされて、前記所定形状１ａ、１ｂの位置にある表示部背面電極層１４ａ、１４ｂの夫々は所定形状１ａ、１ｂ以外の部分の背面電極層１４から電気的に分離されたものとされ、また、表示部背面電極層１４ａと表示部背面電極１４ｂともお互いが電気的に分離するものとなっている。
　【０００９】尚、前記ＹＡＧレーザ２０により切込溝２を設けるときの深さは図２中に破線で示すように発光層１２に達するものとしても良く、要は背面電極層１４が上記した状態で切断され、且つ透明電極層１１に至らない範囲であれば、その深さの設定は自在である。
　【００１０】図３に示すものは上記により切込溝２が設けられた後の配線工程であり、この実施例においては、夫々が電気的に分離した表示部背面電極層１４ａと表示部背面電極層１４ｂとが接続されると共に、前記背面電極層１４とは絶縁皮膜６などで絶縁されてポジ表示用端子３が設けられ、同時に背面電極層１４にはネガ表示用端子４が設けられるものとされる。尚、透明電極層１１の側にはＥＬ表示素子の形成時に予めにコモン端子５が取付けられるものとされている。
　【００１１】次いで、上記の方法により形成したＥＬ表示素子１の作用及び効果について説明を行えば、前記切込溝２を所定形状１ａ、１ｂの外形に沿う閉曲線状に形成し、これにより他の部分と電気的に分離した表示部背面電極層１４ａと表示部背面電極層１４ｂとにポジ表示用端子３を設け、それ以外の部分である背面電極層１４にネガ表示用端子４を設けたＥＬ表示素子１としたことで、前記コモン端子５とポジ表示用端子３との間に高周波電圧を印加したときには、所定形状１ａ、１ｂの部分のみが発光し、目的とする表示が暗黒の地面に光輝する文字、即ち、ポジ表示で行われるものとなる。
　【００１２】また、前記コモン端子５とネガ表示用端子４との間に高周波電圧を印加したときには、前記所定形状１ａ、１ｂの部分以外が発光するものとなり、目的とする表示が光輝する地面に暗黒の文字、即ち、ネガ表示で行われるものとなる。
　【００１３】上記したポジ表示が行われている状態で、ポジ表示用端子３に対する給電を停止すれば、当然に所定形状１ａ、１ｂの部分は消灯し、ＥＬ表示素子１の全面は暗黒状態となり、即ち暗転して表示は停止されるものとなるが、このときにポジ表示用端子３に対する給電を継続し、加えてネガ表示用端子４にも給電を行うことで、ＥＬ表示素子１の全面は光輝状態となり、即ち明転によっても表示の停止は可能となるものであり、これはネガ表示の状態でも同様である。
　【００１４】図４に示すものは本発明の別な実施例であり、前の実施例が表示部背面電極層１４ａと表示部背面電極層１４ｂとが接続されてポジ表示用端子３に設けられていたのに対し、この実施例では表示部背面電極層１４ａと表示部背面電極層１４ｂとの夫々に独立するポジ表示用端子３ａ、３ｂを取付けたもので、このようにすることで所定形状１ａ、１ｂは夫々独立して点滅が可能となり表示に一層のバリエーションを与えるものとなる。
　【００１５】尚、上記した以外の作用、効果は前の実施例と全くに同様であるので、ここでの詳細な説明は省略する。また、上記の何れの実施例も表示を目的とする所定形状が２箇所の例で説明したが、これは１箇所以上の任意数で実施が可能であることは云うまでもない。尚、上記何れの実施例においても切込溝の形成にはＹＡＧレーザを用いる例で説明したが、本考案はこれに限定されるものでなくＣ０２レーザなど他のレーザでも良く、更には他の公知手段を採用しても良い。
　【００１６】
　【発明の効果】以上に説明したように本発明により、パターニングはＥＬ表示素子の背面電極層側から少なくとも絶縁層に達する切込溝を所定形状の外形に沿い閉曲線状に設け、前記切込溝により電気的に分離された前記所定形状部分の背面電極層にポジ表示用端子を設け、それ以外の背面電極層にはネガ表示用端子を設けたＥＬ表示素子のパターニング方法としたことで、第一には一面のＥＬ表示素子に切込溝２を設けるのみで所定の表示形状が得られるものとして生産性を向上させコストダウンに優れた効果を奏するものであり、第二にはポジ表示用端子とネガ表示用端子とによりポジ表示、ネガ表示など表示にバリエーションを与えて訴求効果の向上にも優れた効果を奏し、加えて、切込により溝を設けるものとしたことで、打抜型、版型など型類も不要として表示内容の異なる機種の生産も容易なものとして生産ラインの機動性の向上にも優れた効果を奏するものである。
【図面の簡単な説明】
　【図１】　本発明に係るＥＬ表示素子のパターニング方法のＹＡＧレーザによる切込溝形成工程を示す斜視図である。
　【図２】　画１のＡ−Ａ線に沿う断面図である。
　【図３】　同じ実施例の端子の取付工程を示す斜視図である。
　【図４】　同じく本発明の別な実施例を示す斜視図である。
　【図５】　従来例を示す斜視図である。
　【図６】　別の従来例を示す斜視図である。
　【符号の説明】
１……ＥＬ表示素子
１ａ、１ｂ……所定形状
１１……透明電極層
１２……発光層
１３……絶縁層
１４……背面電極層
１４ａ、１４ｂ……表示部背面電極層
２……切込溝
３、３ａ、３ｂ……ポジ表示用端子
４……ネガ表示用端子
５……コモン端子
６……絶縁皮膜
２０……ＹＡＧレーザ